(57)【要約】【課題】  開閉操作が簡単で、携帯に便利な容器を提供する。【解決手段】  第一パネルと第二パネルが対面し一方の対向する端縁に左右稜線がそれぞれ形成され、対面した第一パネルおよび第二パネルがそれぞれ外側に凸状に湾曲し、他方の対向する弧状の上端縁と第三パネルの弧状端縁により上稜線がそれぞれ形成され、他方の対向する弧状の下端縁と第四パネルの弧状端縁により下稜線がそれぞれ形成されてなる容器であって、プラスチックシートで形成され、第三パネルは、第一フラップと、第二フラップとが上稜線で折り曲げられ重なって形成され、一方のフラップが外蓋、反対側のフラップが内蓋とされ、内蓋に内蓋凹部が設けられ、外蓋の外端縁に少なくとも１つの膨出部が設けられている。【選択図】        図１
2015166263.tif 000002
【特許請求の範囲】
【請求項１】
一方の対向する端縁が直線状であり、他方の対向する端縁が内側に凹んだ弧状であり端縁で囲まれた面を備えた第一パネルおよび第二パネルと、外側に凸状の弧状端縁で囲まれた面を備えた第三パネルおよび第四パネルからなり、
前記第一パネルと前記第二パネルが対面し前記第一パネルと前記第二パネルの前記一方の対向する端縁同志が接することにより左右稜線がそれぞれ形成され、対面した前記第一パネルおよび前記第二パネルがそれぞれ外側に凸状に湾曲し、前記第一パネルおよび前記第二パネルの前記他方の対向する端縁の弧状の上端縁と前記第三パネルの弧状端縁が接することにより上稜線がそれぞれ形成され、前記第一パネルおよび前記第二パネルの他方の対向する弧状の下端縁と前記第四パネルの弧状端縁が接することにより下稜線がそれぞれ形成されてなる容器であって、
容器はプラスチックシートで形成されており、
前記第三パネルは、前記第一パネルの上稜線から前記第二パネルの上稜線に向かって伸び上稜線を介して前記第一パネルと連接された第一フラップと、前記第二パネルの上稜線から前記第一パネルの上稜線に向かって伸び上稜線を介して前記第二パネルと連接された第二フラップとが上稜線で折り曲げられ重なって形成されており、
前記第一フラップまたは前記第二フラップのいずれかが外蓋とされ、それとは反対側の前記第一フラップまたは前記第二フラップのいずれかが内蓋とされ、前記内蓋の外端縁の一部に前記外蓋が連接された上稜線より内側に凹んだ内蓋凹部が設けられ、前記外蓋の外端縁に前記内蓋が連接された上稜線より外側に膨れた膨出部が少なくとも１つ設けられていることを特徴とする容器。
【請求項２】
前記膨出部は、前記外蓋の外端縁において前記左右稜線側の少なくとも一方に設けられている、請求項１に記載の容器。
【請求項３】
前記膨出部は、前記外蓋の外端縁において前記左右稜線側の両方に設けられていることを特徴とする請求項２に記載の容器。
【請求項４】
前記外蓋となる前記第一フラップまたは前記第二フラップが連接された上稜線が前記内蓋となる前記第一フラップまたは前記第二フラップが連接された上稜線より少し上側であることを特徴とする請求項１から３のいずれかに記載の容器。
【請求項５】
前記外蓋の外端縁の中央部分に前記内蓋が連接された上稜線より内側に凹んだ外蓋凹部が設けられていることを特徴とする請求項１から４のいずれかに記載の容器。
【請求項６】
１枚のプラスチックシートで形成されており、
前記左右稜線に沿って、前記第一パネル側または前記第二パネル側のいずれかに接着部が設けられており、
前記接着部が設けられた前記第一パネルまたは前記第二パネルに連接された前記第一フラップまたは前記第二フラップのいずれかが前記外蓋とされている、請求項１から５のいずれかに記載の容器。
【発明の詳細な説明】
【技術分野】
【０００１】
本発明は、チョコレート、キャンデー、ガム等の粒状の菓子類等を収容し、これを小出しできるプラスチックシートから形成する容器に関する。
【背景技術】
【０００２】
従来より、チョコレート、キャンデー、ガム等の粒状の菓子類等を収容し、小出しできる１枚のシートから形成される容器の一つとして、特許文献１に記載のものが知られている。この容器は、略長方体に形成されており、対向する１組の面の断面形状を凸状に湾曲させ、他の対向する１組の面の断面形状を凹状になるように湾曲して、凹状面に係止部Ｐａが設けられ、係止部Ｐａが設けられた面が二つの面６ａ、６ｂが重なるように形成され開閉自在に蓋部を構成している。係止部Ｐａは一方の面６ａの中央に弧状の切れ込みＰ１とこの切れ込みＰ１の頂頭部中央より材質の側端部へ直線に切れ込みＰ２を設けたものであり、他の一方の面６ｂはその幅を側端から係止部Ｐａまでの長さとして他の一方の面６ｂが係止部Ｐａで係止され蓋部が閉じられるものであり、中身を取り出すに際して、係止部Ｐａを押圧すると係止部Ｐａが湾曲状に撓み係止部Ｐａがはずれたり又は係止したりする構成のものである。はずれた状態から他の一方の面６ｂを、次に一方の面６ａを開放することにより開口でき、中身を取り出すことができるものである。
【０００３】
しかしながら、特許文献１の容器は、蓋部が二つの面が重なるように形成されているので蓋部を開けるとき、係止を外した（以下、解係止という。）後、二つの面をそれぞれ開けなければならず、蓋部を閉めるとき、それぞれの面を閉めて係止しなければならず、開閉操作が面倒であるという問題がある。また、係止部Ｐａの弧状の切れ込みＰ１だけで他の一方の面６ｂの端部を係止しているだけであり、容器に中身が充填された商品が流通段階で例えば振動等の外力が加わると輸送中に係止がはずれたり、著しい場合には内容物が毀れだすという問題がある。また、中身を小出しする都度、係止、解係止が繰り返されるので係止部に緩みを生じ係止が不十分になるという問題がある。また、当該容器は、長方体であり、さらに他の対向する１組の面７ａ、７ｂを有しており、ポケットに入れて携帯するときに、面７ａまたは面７ｂの一部がポケットに引っ掛かりポケットに収納しにくい、あるいは収納したポケットが膨れ上がるので体裁が悪いという不都合が生じる。
【先行技術文献】
【特許文献】
【０００４】
【特許文献１】実開平３−９７０１７号公報
【発明の概要】
【発明が解決しようとする課題】
【０００５】
そこで本発明は、上記問題を解決すべくなされたものであり、その目的とするところは開閉操作が簡単で、携帯に便利な容器を提供することにある。
【課題を解決するための手段】
【０００６】
本発明に係る容器は、一方の対向する端縁が直線状であり、他方の対向する端縁が内側に凹んだ弧状であり端縁で囲まれた面を備えた第一パネルおよび第二パネルと、外側に凸状の弧状端縁で囲まれた面を備えた第三パネルおよび第四パネルからなり、前記第一パネルと前記第二パネルが対面し前記第一パネルと前記第二パネルの前記一方の対向する端縁同志が接することにより左右稜線がそれぞれ形成され、対面した前記第一パネルおよび前記第二パネルがそれぞれ外側に凸状に湾曲し、前記第一パネルおよび前記第二パネルの前記他方の対向する端縁の弧状の上端縁と前記第三パネルの弧状端縁が接することにより上稜線がそれぞれ形成され、前記第一パネルおよび前記第二パネルの他方の対向する弧状の下端縁と前記第四パネルの弧状端縁が接することにより下稜線がそれぞれ形成されてなる容器であって、容器はプラスチックシートで形成されており、前記第三パネルは、前記第一パネルの上稜線から前記第二パネルの上稜線に向かって伸び上稜線を介して前記第一パネルと連接された第一フラップと、前記第二パネルの上稜線から前記第一パネルの上稜線に向かって伸び上稜線を介して前記第二パネルと連接された第二フラップとが上稜線で折り曲げられ重なって形成されており、前記第一フラップまたは前記第二フラップのいずれかが外蓋とされ、それとは反対側の前記第一フラップまたは前記第二フラップのいずれかが内蓋とされ、前記内蓋の外端縁の一部に前記外蓋が連接された上稜線より内側に凹んだ内蓋凹部が設けられ、前記外蓋の外端縁に前記内蓋が連接された上稜線より外側に膨れた膨出部が少なくとも１つ設けられていることを特徴とする。
【０００７】
上記容器において、前記膨出部は、前記外蓋の外端縁において前記左右稜線側の少なくともいずれか一方に設けられているものとすることができる。
【０００８】
上記いずれかの容器において、前記膨出部は、前記外蓋の外端縁において前記左右稜線側の両方に設けられているものとすることができる。
【０００９】
上記いずれかの容器においては、前記外蓋となる前記第一フラップまたは前記第二フラップが連接された上稜線が前記内蓋となる前記第一フラップまたは前記第二フラップが連接された上稜線より少し上側であるものとすることができる。
【００１０】
上記いずれかの容器においては、前記外蓋の外端縁の中央部分に前記内蓋が連接された上稜線より内側に凹んだ外蓋凹部が設けられているものとすることができる。
【００１１】
上記いずれかの容器においては、１枚のプラスチックシートで形成されており、前記左右稜線に沿って、前記第一パネル側または前記第二パネル側のいずれかに接着部が設けられており、前記接着部が設けられた前記第一パネルまたは前記第二パネルに連接された前記第一フラップまたは前記第二フラップのいずれかが前記外蓋とされているものとすることができる。
【００１２】
ここで、この容器においては、前記接着部が設けられた前記第一パネルまたは前記第二パネルに連接された前記第一フラップまたは前記第二フラップのいずれかが前記外蓋とされているものとすることができる。
【００１３】
本発明は、上記課題を達成するために、本発明は、一方の対向する端縁が直線状であり、他方の対向する端縁が内側に凹んだ弧状であり端縁で囲まれた面を備えた第一パネルおよび第二パネルと、外側に凸状の弧状端縁で囲まれた面を備えた第三パネルおよび第四パネルからなり、前記第一パネルと前記第二パネルが対面し前記第一パネルと前記第二パネルの前記一方の対向する端縁同志が接することにより左右稜線がそれぞれ形成され、対面した前記第一パネルおよび前記第二パネルがそれぞれ外側に凸状に湾曲し、前記第一パネルおよび前記第二パネルの前記他方の対向する端縁の弧状の上端縁と前記第三パネルの弧状端縁が接することにより上稜線がそれぞれ形成され、前記第一パネルおよび前記第二パネルの他方の対向する弧状の下端縁と前記第四パネルの弧状端縁が接することにより下稜線がそれぞれ形成されてなる容器であって、容器は１枚の透明プラスチックシートで形成されており、前記左右稜線に沿って、前記第一パネル側または前記第二パネル側のいずれかに接着部が設けられており、前記第三パネルは、前記第一パネルの上稜線から前記第二パネルの上稜線に向かって伸び上稜線を介して前記第一パネルと連接された第一フラップと、前記第二パネルの上稜線から前記第一パネルの上稜線に向かって伸び上稜線を介して前記第二パネルと連接された第二フラップとが上稜線で折り曲げられ重なって形成されており、前記接着部が設けられた前記第一パネルまたは前記第二パネルに連接された前記第一フラップまたは前記第二フラップのいずれかが外蓋とされ、前記接着部が設けられた前記第一パネルまたは前記第二パネルと反対側の前記第一パネルまたは前記第二パネルに連接された前記第一フラップまたは前記第二フラップのいずれかが内蓋とされ、前記内蓋の外端縁の一部に前記外蓋が連接された上稜線より内側に凹んだ内蓋凹部が設けられ、前記外蓋の外端縁の前記接着部に近い側または遠い側の少なくともいずれか一方に前記内蓋が連接された上稜線より外側に膨れた膨出部が設けられていることを特徴とする容器である。
【００１４】
また、本発明は、上記の容器において、前記外蓋となる前記第一フラップまたは前記第二フラップが連接された上稜線が前記内蓋となる前記第一フラップまたは前記第二フラップが連接された上稜線より少し上側であることを特徴とするものである。
【００１５】
また、本発明は、上記いずれかの容器において、前記外蓋の外端縁の中央部分に前記内蓋が連接された上稜線より内側に凹んだ外蓋凹部が設けられていることを特徴とするものである。
【００１６】
また、本発明は、上記いずれかの容器において、前記外蓋の外端縁の前記接着部から近い側及び遠い側の両方に前記内蓋が連接された上稜線より外側に膨れた膨出部が設けられていることを特徴とするものである。
【発明の効果】
【００１７】
前記第三パネルは、前記第一パネルの上稜線から前記第二パネルの上稜線に向かって伸び上稜線を介して前記第一パネルと連接された第一フラップと、前記第二パネルの上稜線から前記第一パネルの上稜線に向かって伸び上稜線を介して前記第二パネルと連接された第二フラップとが上稜線で折り曲げられ重なって形成されており、前記第一パネルまたは前記第二パネルに連接された前記第一フラップまたは前記第二フラップのいずれかが外蓋とされ、それとは反対側の前記第一パネルまたは前記第二パネルに連接された前記第一フラップまたは前記第二フラップのいずれかが内蓋とされ、前記内蓋の外端縁の一部に前記外蓋が連接された上稜線より内側に凹んだ内蓋凹部が設けられ、前記内蓋が連接された上稜線より外側に膨れた膨出部が少なくとも１つ設けられている構成とすることにより、左右稜線を指または指と掌で挟んで持ち、外蓋の膨出部を人差し指や親指で弾いて持ち上げることにより、片手で容器の開閉が簡単にしかもワンタッチでできる。また、外蓋を開けた後、内蓋に設けられた内蓋凹部を振出口として、例えば、粒状の中身を振出により必要量を取り出すことができる。また、外蓋が連接された上稜線がヒンジとなって外蓋が開閉される（以下、ヒンジ開閉という。）ので外蓋を開けるとき、外蓋が内側に凹形状から外側に凸形状へ、また外蓋を閉めるとき、外側に凸形状から内側に凹形状に反転し、その際、反転音を発するので開閉の確認ができると共に使用者に楽しさを与える。
【００１８】
また、容器はプラスチックシートで形成されており、例えば、透明にすると、中身が見えるので購入者に安心感を与える。さらに、一方の対向する端縁が直線状であり、他方の対向する端縁が内側に凹んだ弧状であり端縁で囲まれた面を備えた第一パネルおよび第二パネルと、凸レンズの厚み方向の断面形状のごとく外側に凸状の弧状端縁で囲まれた面を備えた第三パネルおよび第四パネルからなり、前記第一パネルと前記第二パネルが対面し前記第一パネルと前記第二パネルの前記一方の対向する端縁同志が接することにより左右稜線がそれぞれ形成され、対面した前記第一パネルおよび前記第二パネルがそれぞれ外側に凸状に湾曲し、前記第一パネルおよび前記第二パネルの前記他方の対向する端縁の弧状の上端縁と前記第三パネルの弧状端縁が接することにより上稜線がそれぞれ形成され、前記第一パネルおよび前記第二パネルの他方の対向する弧状の下端縁と前記第四パネルの弧状端縁が接することにより下稜線がそれぞれ形成されてなる構成としたので容器の尖がった角部が少なく、ポケット等にスムーズに収納することができ、また、平面部がなく曲面部で構成されているので収納されたポケットの膨れも目立ち難く、優れた携帯性を有する。
【００１９】
また、請求項２記載の本発明は、前記膨出部が、前記外蓋の外端縁において前記左右稜線側の少なくとも一方に設けられているので、上記効果に加え、ヒンジ開閉時に、指を引っ掛けやすいという効果を有する。
【００２０】
また、請求項３４記載の本発明は、前記膨出部が、前記外蓋の外端縁において前記左右稜線側の両方に設けられている構成とすることにより上記効果に加え、右利きまたは左利きのいずれの使用者であっても容器を持ち替えることなく開閉操作ができるので便利性を付与できる。
【００２１】
また、請求項４２記載の本発明は、前記外蓋となる前記第一フラップまたは前記第二フラップが連接された上稜線が前記内蓋となる前記第一フラップまたは前記第二フラップが連接された上稜線より少し上側である構成としたので上記効果に加え、外蓋の開閉操作がよりスムーズとなり、また、閉操作後、外蓋と内蓋の良好な閉塞性が得られる。
【００２２】
また、請求項５３記載の本発明は、前記外蓋の外端縁の中央部分に前記内蓋が連接された上稜線より内側に凹んだ外蓋凹部が設けられている構成とすることにより上記効果に加え、使用者が上記ヒンジ開閉を行わず、左右稜線を指で押圧して中身を出そうとした際、外蓋と内蓋が内側に過度に折れ曲がり外蓋の端縁と内蓋の端縁が干渉する結果、外蓋の開閉できなくなるというトラブルを防止できる。
【００２３】
また、請求項６記載の本発明は、１枚のプラスチックシートで形成されており、前記左右稜線に沿って、前記第一パネル側または前記第二パネル側のいずれかに接着部が設けられており、前記接着部が設けられた前記第一パネルまたは前記第二パネルに連接された前記第一フラップまたは前記第二フラップのいずれかが前記外蓋とされているため、上記効果に加え、容器の開操作をスムーズに行うことができる。
【００２４】
より詳細に説明すると、開封操作をするときは、例えば、膨出部が突出している部分のパネルに沿って、指を擦り上げて、膨出部に対して指を下から持ち上げる操作を行うが、この際に、指を掛ける膨出部の先端が「力点」となり、膨出部が設けられた外蓋の根元が「支点」となる。ここで、スムーズな開閉を行うためには、支点が安定している必要があるが、上記のように、接着部が設けられた第一パネルまたは第二パネルに連接された第一フラップまたは第二フラップのいずれかが外蓋であれば、外蓋の根元に接着部が存在することになる。したがって、膨出部の根本近傍には剛性の高い状態の接着部が存在するため、支点が安定している状態になる。その結果、容器の開閉がスムーズになる。
【００２５】
また、開封操作するときの指を擦り上げる操作を行う側のパネルには接着部が存在しないので、接着部に指が掛かって操作性が悪くなったり、接着部が捲りあがったり、場合によっては接着部の外側の基材の端部で指を切ったりするというトラブルが防止される。さらに、開封時には、膨出部に指を掛けるが、実際は、目で膨出部の場所を確認して指を掛けるのではなく、容器を片手で掴んで親指をパネルに擦り上げて引っかかる部分を、膨出部と認識しつつ開閉操作を行うことが想定される。ここで、接着部は、パネルに対して接着されるが、その端部がプラスチックシートの厚みだけ段差を形成しており、この部分にも指の感触だけでは指が掛かる部分と誤認する恐れがある。しかし、指を擦り上げる操作を行う側のパネルには「接着部」が存在しないので、このような、指掛け部分を誤認するというトラブルが生じるのを防止することができる。
【図面の簡単な説明】
【００２６】
【図１】本発明に係る容器の一実施形態を示す斜視図である。
【図２】本発明に係る容器の一実施形態の外蓋の開状態を示す斜視図である。
【図３】本発明に係る容器の一実施形態を示す平面図、底面図、正面図、背面図、左側面図、右側面図である。
【図４】図１の容器を組み立てる一実施形態の展開図である
【発明を実施するための形態】
【００２７】
上記の本発明について、図面等を用いて以下に詳述する。
図１は本発明に係る容器の一実施形態を示す斜視図、図２は本発明に係る容器の一実施形態の外蓋の開状態を示す斜視図、図３は本発明に係る容器の一実施形態を示す（イ）平面図、（ロ）底面図、（ハ）正面図、（ニ）背面図、（ホ）左側面図、（ヘ）右側面図、図４は図１の容器を組み立てる一実施形態の展開図であり、図中の１は第一パネル、２は第二パネル、３は第三パネル、４は第四パネル、５、６は左右稜線、７ａ、７ｂは上稜線、８ａ、８ｂは下稜線、９は接着部、１０は貼着片、１１は第一パネル形成板、１２は第二パネル形成板、１３ａは第一フラップ（外蓋）、１３ｂは第二フラップ（内蓋）、１４ａ、１４ｂは下フラップ、１５、１６は縦罫線、１７ａ、１７ｂ、１８ａ、１８ｂは弧状罫線、Ｐは容器、Ａはブランク板、Ｂ１、Ｂ２は膨出部、Ｓは外蓋凹部、Ｕは内蓋凹部をそれぞれ示す。
【００２８】
図１は本発明に係る容器の一実施形態を示す斜視図、図２は本発明に係る容器の一実施形態の外蓋の開状態を示す斜視図、図３は本発明に係る容器の一実施形態を示す平面図、底面図、正面図、背面図、左側面図、右側面図であって、本発明の容器Ｐは、１枚のプラスチックシートで形成されており、図１、図３に示すように一方の対向する端縁が直線状であり、他方の対向する端縁が内側に凹んだ弧状であり端縁で囲まれた面を備えた第一パネル１と、第一パネル１と同じかまたはほぼ同じ形状を有する第二パネル２と、凸レンズの厚み方向の断面形状のごとく外側に凸状の弧状端縁で囲まれた面を備えた第三パネル３と、第四パネル４からなり、第一パネル１と第二パネル２が対面し、対面した第一パネル１および第二パネル２が外側に相互に凸状に湾曲し、第一パネル１と第二パネル２の一方の対向する直線状の端縁同志が接することにより左右稜線５、６がそれぞれ形成されている。
【００２９】
第一パネル１および第二パネル２の他方の対向する弧状の上端縁と第三パネル３の弧状端縁が接することにより上稜線７ａ、７ｂがそれぞれ形成され、第一パネル１および第二パネル２の他方の対向する弧状の下端縁と第四パネル４の弧状端縁が接することにより下稜線８ａ、８ｂがそれぞれ形成される。なお、本願において第三パネル３側を上、第四パネル４側を下と呼ぶこととする。図１、図２は第三パネル３を詳細に記載するために上となる第三パネル３を図面上では下に記載したものである。
【００３０】
左右稜線６に沿って、第一パネル１側に接着部９（図３参照）が設けられている。図１、図２に示すように第三パネル３は、第一パネル１と第三パネル３で形成された上稜線７ａから第二パネル２と第三パネル３で形成された上稜線７ｂに向かって伸び上稜線７ａを介して第一パネル１と連接された第一フラップ１３ａと、第二パネル２と第三パネル３で形成された上稜線７ｂから上稜線７ａに向かって伸び上稜線７ｂを介して第二パネル２と連接された第二フラップ１３ｂとが上稜線７ａ、７ｂでそれぞれ内側に折り曲げられ重なって形成されている。また、第一フラップ１３ａは上稜線７ａに沿って折り曲げ自在とされている。
【００３１】
接着部９が設けられた第一パネル１に連接された第一フラップ１３ａが外蓋とされる。接着部９が設けられた第一パネル１と対面する第二パネル２に連接された第二フラップ１３ｂが内蓋とされる。内蓋１３ｂ（第二フラップ１３ｂ）は、内蓋１３ｂの外端縁の一部に外蓋１３ａが連接された上稜線７ａより内側に凹んだ内蓋凹部Ｕ（図２参照）が設けられている。内蓋凹部Ｕは、外蓋の第一フラップ１３ａを上稜線７ａに沿って外側に開いたときに露出し、中身を取り出す振出口となるものであり、内蓋凹部Ｕは外端縁の任意の位置に設けることができるが、図２に示すように中央に設ける方が中身を取り出しやすいので好ましい。また、中身の形状、大きさを考慮し内蓋凹部Ｕの形状、大きさは決定されるが、中身が１〜２ケずつ振出せるように設けるほうが好ましい。
【００３２】
外蓋１３ａ（第一フラップ１３ａ）は、外蓋１３ａの外端縁の接着部９に近い側（図２において左側）に内蓋１３ｂが連接された上稜線７ｂより外側に膨れた膨出部Ｂ１と、外蓋１３ａの外端縁の接着部９から遠い側（図２において右側）の左右稜線５に上稜線７ｂより外側に膨れた膨出部Ｂ２が設けられている。つまり、膨出部Ｂ１，Ｂ２は、外蓋の外端縁において左右稜線５、６側の端部の両方に設けられている。膨出部Ｂ１、Ｂ２は、人差し指や親指で弾いて開閉できる程度の大きさでよい。さらに、外蓋１３ａは、外端縁の左右方向の中央部分に内蓋１３ｂが連接された上稜線７ｂより内側に凹んだ外蓋凹部Ｓが設けられている。外蓋１３ａは、容器内に塵等の異物が混入したり、中身が飛び出すことがないように設ける必要があり、内蓋１３ｂに外蓋１３ａを折り重ねた際、外蓋凹部Ｓが内蓋１３ｂの内蓋凹部Ｕを被覆し、外蓋凹部Ｓの端縁と内蓋凹部の端縁が重なり、隙間ができない程度にかつ、外蓋１３ａと内蓋１３ｂの外縁同志がラップし重なりを有するように設けることが肝要である。また、外蓋凹部Ｓは、後述する容器Ｐの開封操作において、使用者がヒンジ開閉による開操作を行わず、左右稜線５、６を指で無理やり押圧して中身を取り出そうとした際、外蓋１３ａと内蓋１３ｂが上稜線７ａ、７ｂで過度に内側に折れ曲がり外蓋の外端縁と内蓋の外端縁が相互に干渉しあって開操作ができなくなるという誤操作によるトラブルを防止するものであり、外蓋凹部Ｓは外に向かって拡開する曲線状に設けることが好ましい。外蓋凹部Ｓは設けなくてもよいものであるが、前記誤操作によるトラブルを防止できるので設ける方が好ましい。
【００３３】
図１〜４において、膨出部Ｂ１、Ｂ２を設けた例を示したが、本発明の容器Ｐはこれに限定されるものではなく、少なくとも外蓋１３ａの外端縁の接着部９に近い側に内蓋１３ｂが連接された上稜線７ｂより外側に膨れた膨出部Ｂ１が設けられていればよい。
【００３４】
また、本発明の容器Ｐは接着部９が形成されたパネルに連接されるフラップが外蓋となることを一つの特徴とするものであり、接着部９を第二パネル２に設ける場合には、第二パネル２に連接された第二フラップ１３ｂが外蓋となり、第二パネル２と対面する第一パネル１に連接された第一フラップ１３ａが内蓋となるように構成すればよい。
【００３５】
図３は本発明に係る容器の一実施形態を示す平面図、底面図、正面図、背面図、左側面図、右側面図であり、（ロ）底面図および（ニ）背面図に示すように接着部９は第一パネル１側に設けられている。詳細な説明は上記説明と重複を避けるために同符号を付して省略する。
【００３６】
図４は図１の容器Ｐを組み立てる一実施形態の展開図を示したものである。図１の容器Ｐは、通常印刷が施された透明プラスチックシートを図４に示す展開図にしたがって切断し、１枚の透明プラスチックシートからなるブランク板Ａを切取り、適所を折り曲げ且つ接着することによってつくられる。ブランク板Ａは通常、所定の切刃を備えた打ち抜き型で打ち抜くことにより形成される。
【００３７】
図４に示す展開図において、容器Ｐを組み立てるときに折り曲げられる箇所が破線で示されている。破線で示した折り曲げられる箇所には折り曲げを容易にするために罫線が形成されている。罫線は、押罫、ハーフカットによる罫、ミシン罫（間隔をあけて形成する切目または切込み）またはリード罫（ミシン罫において切目または切込みが形成されていない間隔部分に施したハーフカット）で形成される。これらの罫線は、ブランク板Ａを打ち抜く切刃を備えた打ち抜き型に所定の形状の押罫、ハーフカットによる罫、ミシン罫若しくはリード罫のいずれかまたはそれらの１種以上を組み合わせた型を備えることにより打ち抜きと同時に形成される。あるいは打ち抜きの前に罫線のみ形成してもよい。
【００３８】
図４に示すようにブランク板Ａには第一パネル形成板１１と第二パネル形成板１２と貼着片１０がこの順に、縦罫線１５、縦罫線１６を介して横方向（図４において左から右）に連接されている。貼着片１０は第一パネル形成板１１に接着され接着部９を形成するものである。そして、第一パネル形成板１１には上辺に第一フラップ１３ａが弧状罫線１７ａを介して連設され、下辺に下フラップ１４ａが弧状罫線１８ａを介して連接されている。また、第二フラップ形成板１２には上辺に第二フラップ１３ｂが弧状罫線１７ｂを介して連接され、下辺に下フラップ１４ｂが弧状罫線１８ｂを介して連接されている。弧状罫線１７ａ，１７ｂ，１８ａ，１８ｂは第一フラップ１３ａ、下フラップ１４ａ、第二フラップ１３ｂ、下フラップ１４ｂの折り曲げやすさを考慮しリード罫とすることが好ましい。
【００３９】
第一パネル形成板１１の一方の対向する端縁（図４の左右方向）が直線状で平行またはほぼ平行であり、他方の対向する端縁（図４の上下方向）が内側に凹んだ弧状罫線１７ａ、１８ａであり、同様に第二パネル形成板１２は一方の対向する端縁（図４の左右方向）が直線状で平行またはほぼ平行であり、他方の対向する端縁（図４の上下方向）が内側に凹んだ弧状罫線１７ｂ、１８ｂであり、第一パネル形成板１１と第二パネル形成板１２は凹レンズの厚み方向の断面形状を備えている。
【００４０】
第一フラップ１３ａは、上の外端縁の左側および右側にブランク板Ａを組み立てて容器Ｐとしたとき、弧状罫線１７ｂで形成される上稜線７ｂより外側に膨れた膨出部Ｂ１、Ｂ２を備えると共に中央部に外蓋凹部Ｓを備えている。第二フラップ１３ｂは、上の外端縁の中央部にブランク板Ａを組み立てて容器Ｐとしたとき、弧状罫線１７ａで形成される上稜線７ａより内側に凹んだ内蓋凹部Ｕを備えている。下フラップ１４ａ、１４ｂは下に凸状の弧状端縁と上に凸状の弧状罫線１８ａまたは弧状罫線１８ｂでそれぞれ囲まれた凸レンズの厚み方向の断面形状を備えている。図４において、第一フラップ１３ａに示した一点鎖線は膨出部Ｂ１、Ｂ２が上稜線７ｂより外側であることを示すためのものであり、上稜線７ｂの想定線を示す。
【００４１】
第一パネル形成板１１の弧状罫線１７ａと第二パネル形成板１２の弧状罫線１７ｂの位置関係において、縦罫線１５で第一パネル形成板１１と第二パネル形成板１２を折り曲げて重ね合わせたとき、第一パネル形成板１１の弧状罫線１７ａが第二パネル形成板１２の弧状罫線１７ｂより少し上側に位置することがより好ましい。弧状罫線１７ａと１７ｂの位置関係を上記のようにすることによりブランク板Ａを組み立てて容器Ｐを形成したときに外蓋となる第一フラップ１３ａが連接された上稜線７ａが内蓋となる第二フラップ１３ｂが連接された上稜線７ｂより少し上側となり、外蓋１３ａの開閉操作がよりスムーズにでき、また、閉操作後、外蓋１３ａと内蓋１３ｂとの上下方向にできる隙間が少ないものとなり良好な閉塞性が得られる。なお、本発明において、少し上側とは、ブランク板Ａを形成する透明プラスチックシートの厚さに対してプラス０．５ｍｍ、マイナス５ｍｍの範囲をいう。
【００４２】
図４は本発明の容器Ｐを構成するブランク板Ａの展開図の一例を示したものであり、これに限定されるものではなく、パネル形成板、フラップ、貼着片の配置を変更することができる。ただし、貼着片１０は内蓋が連接されるパネル形成板に連接して設けることが肝要である。
【００４３】
本発明の容器Ｐを構成するプラスチックシートは、着色された不透明であるほか、例えば、中身を視認できるように、無色透明、着色透明、あるいは半透明であってもよい。また、プラスチックシートに、上述した透明の箇所と不透明の箇所を混在させてもよい。透明プラスチックシートに使用する樹脂としては、ポリプロピレン、ポリエチレン等のポリオレフィン系樹脂、ポリエチレンテレフタレート、ポリブチレンテレフタレート等のポリエステル系樹脂、ポリカーボネート樹脂、ポリ塩化ビニル樹脂、ポリアクリロニトリル樹脂等が使用でき、コスト、透明性等を勘案するとポリオレフィン系樹脂が好ましく、ポリプロピレン樹脂がより好ましい。厚みとしては、２００μｍ〜４００μｍが好ましく、２５０μｍ〜３５０μｍがより好ましい。２００μｍ未満であると、プラスチックシートの十分な剛性が得られ難く、容器として強度が不十分であり、４００μｍを超えるとサック貼り適性が低下すると共に原価高となる。
【００４４】
図４を参照しながらブランクＡの組み立て方の一例を説明する。まず、第一ステップとして、図４に示したブランク板をサック貼りする。具体的には、図示しないが第二パネル形成板１２と貼着片１０を第一パネル形成板１１に対して縦罫線１５で折り返し、さらに貼着片１０に糊付けすると共に貼着片１０を第一パネル形成板１１に対して縦罫線１６で折り返し第一パネル形成板１１の端縁に沿った部分に貼着片１０を重ね合わせて圧着し、接着部９を形成しサック貼りし、筒状のブランクとする。なお、接着部９は、貼着片１０の内面を第一パネル形成板１１の外面に重ねて形成してもよいし、貼着片１０の外面を第一パネル形成板１１の内面に重ねて形成してもよい。このように折り畳んだブランクの状態で複数枚を束ねて次の充填工程に送る。折り畳んだブランクを充填工程に輸送を伴う場合には、特に嵩張ることがないので輸送コストの低減が図れ好ましい形態である。
【００４５】
充填工程では、折り畳まれたブランクを起こし、対面した第一パネル形成板１１および第二パネル形成板１２をそれぞれ外側に凸状に湾曲させ、縦罫線１６で折り曲げた部分で左右稜線６を形成し、縦罫線１５で折り曲げた部分で左右稜線５がそれぞれ形成される。
次いで、下フラップ１４ａ、１４ｂを内側に折り込みながら例えばホットメルト接着剤等を塗布し折り重ねて接着し、下部となる下稜線８ａ、８ｂおよび第四パネル４を形成する。
【００４６】
上記のように第四パネル４を形成し下部を閉じた後、例えば粒状の中身を上部から充填し、次いで、第二フラップ１３ｂを折り曲げ、さらに第一フラップ１３ａを折り曲げ第二フラップ１３ｂの上に折り重ねて上稜線７ａ、７ｂおよび第三パネル３が形成されると共に第一パネル形成板１１で第一パネル１が形成され、第二パネル形成板１２で第二パネル２が形成され、中身が充填された容器Ｐが完成する。
【００４７】
中身が充填された容器Ｐは、プラスチックフィルムでオーバーラップされ店頭等で販売される。
【００４８】
次に図２を参照しながら容器Ｐの使用方法の一例を説明する。購入した消費者はオーバーラップされたプラスチックフィルム等を取り除いた後、左右稜線５と左右稜線６を片手の指または指と掌で挟み、膨出部Ｂ１またはＢ２を容器Ｐを持っている片手の人差し指または親指で上方に弾くと上稜線７ａを形成する弧状罫線１７ａがヒンジとなって第一フラップ１３ａが上方に開くと共に内側に凹形状から外側に凸形状に反転し、第一フラップ１３ａが開放された状態で保持され、第二フラップ１３ｂの内蓋凹部Ｕが露出する。内蓋凹部Ｕを振出口として中身を必要量取り出すことができる。その後、第一フラップ１３ａを指で押しヒンジ開閉することにより蓋を閉める。
【００４９】
本発明の容器Ｐは、例えばチョコレート、キャンデー、ガム等の粒状の菓子類等を収容し、これを振り出して小出しする用途に好適である。
【００５０】
以上、本発明の一実施形態について説明したが、本発明は上記実施形態に限定されるものではなく、その趣旨を逸脱しない限りにおいて、種々の変更が可能である。
【００５１】
例えば、上記実施形態では、外蓋１３ａの外端縁の接着部９に近い側と、外蓋１３ａの外端縁の接着部９から遠い側（図２において右側）との２箇所に、膨出部Ｂ１，Ｂ２がそれぞれ形成されているが、膨出部が設けられる位置は、特には限定されない。すなわち、膨出部は、内蓋１３ｂが連接された上稜線７ｂより外側に膨れているのであれば、例えば、上記２箇所のうちの１箇所でもよいし、さらには外蓋１３ａの外端縁において、接着部９に近い側から遠い側までの間のいずれかの位置に設けられていればよい。但し、膨出部を、接着部９に近い側または遠い側の少なくとも一方に設けると、指を引っ掛けやすいため、有利である。また、膨出部の数も特には限定されず、１つ、または３以上設けることもできる。
【００５２】
また、上記実施形態では、接着部９が設けられた第一パネル１に連接される第一フラップ１３ａが外蓋となっているが、これに限定されるものではない。すなわち、これとは反対に、接着部９が設けられた第二パネル２に連接されるフラップが内蓋となってもよい。
【００５３】
また、上記実施形態に係る容器は、１枚のプラスチックシートからなるブランク板Ａを切取り、適所を折り曲げ且つ接着することによって作製されるが、複数のプラスチックシートを適宜組み合わせて作製することもできる。
【符号の説明】
【００５４】
１                                    第一パネル
２                                    第二パネル
３                                    第三パネル
４                                    第四パネル
５、６                                左右稜線
７ａ、７ｂ                            上稜線
８ａ、８ｂ                            下稜線
９                                    接着部
１０                                  貼着片
１１                                  第一パネル形成板
１２                                  第二パネル形成板
１３ａ                                第一フラップ（外蓋）
１３ｂ                                第二フラップ（内蓋）
１４ａ、１４ｂ                        下フラップ
１５、１６                            縦罫線
１７ａ、１７ｂ、１８ａ、１８ｂ        弧状罫線
Ｐ                                    容器
Ａ                                    ブランク板
Ｂ１、Ｂ２                            膨出部
Ｓ                                    外蓋凹部
Ｕ                                    内蓋凹部
【図１】
2015166263.tif 000003
【図２】
2015166263.tif 000004
【図３】
2015166263.tif 000005
【図４】
2015166263.tif 000006
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
一方の対向する端縁が直線状であり、他方の対向する端縁が内側に凹んだ弧状であり端縁で囲まれた面を備えた第一パネルおよび第二パネルと、外側に凸状の弧状端縁で囲まれた面を備えた第三パネルおよび第四パネルからなり、
前記第一パネルと前記第二パネルが対面し前記第一パネルと前記第二パネルの前記一方の対向する端縁同志が接することにより左右稜線がそれぞれ形成され、対面した前記第一パネルおよび前記第二パネルがそれぞれ外側に凸状に湾曲し、前記第一パネルおよび前記第二パネルの前記他方の対向する端縁の弧状の上端縁と前記第三パネルの弧状端縁が接することにより上稜線がそれぞれ形成され、前記第一パネルおよび前記第二パネルの他方の対向する弧状の下端縁と前記第四パネルの弧状端縁が接することにより下稜線がそれぞれ形成されてなる容器であって、
容器はプラスチックシートで形成されており、
前記第三パネルは、前記第一パネルの上稜線から前記第二パネルの上稜線に向かって伸び前記第一パネルの上稜線を介して前記第一パネルと連接された第一フラップと、前記第二パネルの上稜線から前記第一パネルの上稜線に向かって伸び前記第二パネルの上稜線を介して前記第二パネルと連接された第二フラップと、が前記各上稜線でそれぞれ折り曲げられ重なって形成されており、
前記第一フラップまたは前記第二フラップのいずれかが外蓋とされ、それとは反対側の前記第一フラップまたは前記第二フラップのいずれかが内蓋とされ、
前記内蓋の外端縁の一部に前記外蓋が連接された上稜線より内側に凹んだ内蓋凹部が設けられ、
前記外蓋の外端縁において前記左右稜線側の両方に、前記内蓋が連接された上稜線より外側に膨れた膨出部が、それぞれ設けられており、
前記外蓋の外端縁において、前記一対の膨出部の間に、前記内蓋が連接された上稜線より内側に凹んだ外蓋凹部が設けられている、容器。
【請求項２】
前記外蓋となる前記第一フラップまたは前記第二フラップが連接された上稜線が、前記一方の対向する端縁の延びる方向において、前記内蓋となる前記第一フラップまたは前記第二フラップが連接された上稜線よりも、少し外方にあることを特徴とする請求項１に記載の容器。
【請求項３】
１枚のプラスチックシートで形成されており、
前記左右稜線に沿って、前記第一パネル側または前記第二パネル側のいずれかに接着部が設けられており、
前記接着部が設けられた前記第一パネルまたは前記第二パネルに連接された前記第一フラップまたは前記第二フラップのいずれかが前記外蓋とされている、請求項１または２に記載の容器。